(57)【特許請求の範囲】
【請求項１】
コンロ本体と、コンロ本体の上面を覆う天板と、天板に開設したバーナ用開口を通して天板上に露出するコンロバーナと、コンロ本体内に設けられたグリルとを備えるグリル付きガスコンロであって、
天板に、部分的に、所定温度以上になったときに変色する感温表示部が設けられ、
天板の前縁から所定の前後方向範囲の部分を前縁近傍部分として、感温表示部が設けられる天板の部分は、グリルの上方への投影面内に位置する前縁近傍部分を含むことを特徴とするグリル付きガスコンロ。
【請求項２】
前記感温表示部は、前記天板の前縁近傍部分に、前記グリルの上方への投影面内に位置する部分だけでなく当該部分から天板の横方向両端部に亘って帯状に設けられることを特徴とする請求項１記載のグリル付きガスコンロ。
【発明の詳細な説明】
【技術分野】
【０００１】
本発明は、コンロ本体と、コンロ本体の上面を覆う天板と、天板に開設したバーナ用開口を通して天板上に露出するコンロバーナと、コンロ本体内に設けられたグリルとを備えるグリル付きガスコンロに関する。
【背景技術】
【０００２】
従来、赤外線を透過する材料で形成される天板の下にハロゲンヒータを配置した加熱調理器として、使用者の手が誤って高温の天板に手が触れることを防止するため、天板に、所定温度以上になったときに変色する感温表示部を設けたものが知られている（例えば、特許文献１参照）。
【０００３】
ところで、ガスコンロでは、コンロバーナの燃焼中は炎が見えるため、天板が熱くなっていると認識でき、上記加熱調理器の如く天板に感温表示部を設ける必要はない。然し、グリル付きガスコンロでは、グリルを使用していてもこれを外部から確認しにくく、グリル使用中に熱くなった天板に手が触れてしまうことがある。
【先行技術文献】
【特許文献】
【０００４】
【特許文献１】特開平１−１９６４２４号公報
【発明の概要】
【発明が解決しようとする課題】
【０００５】
本発明は、以上の点に鑑み、グリル使用中に天板が熱くなったときに注意を喚起できるようにしたグリル付きガスコンロを提供することをその課題としている。
【課題を解決するための手段】
【０００６】
上記課題を解決するために、本発明は、コンロ本体と、コンロ本体の上面を覆う天板と、天板に開設したバーナ用開口を通して天板上に露出するコンロバーナと、コンロ本体内に設けられたグリルとを備えるグリル付きガスコンロであって、天板に、部分的に、所定温度以上になったときに変色する感温表示部が設けられ、天板の前縁から所定の前後方向範囲の部分を前縁近傍部分として、感温表示部が設けられる天板の部分は、グリルの上方への投影面内に位置する前縁近傍部分を含むことを特徴とする。
【０００７】
ここで、グリル使用中はグリルの上方への投影面内に位置する天板の部分が加熱されるが、本発明によれば、天板の上記部分が加熱されて所定温度以上になると、感温表示部が変色して、熱くなったことを報知し、注意を喚起できる。これにより、グリル使用中に熱くなった天板の部分に手が触れることを可及的に抑制できる。
【０００８】
ところで、グリルの前面のグリル扉を半開きにしたままグリルを使用してしまうことがある。この場合、グリル扉から漏れ出た熱気により、グリルの上方への投影面内に位置する天板の前縁近傍部分（天板の前縁から所定の前後方向範囲の部分）が強く加熱されてしまう。本発明によれば、グリル扉が半開きで、グリルの上方への投影面内に位置する天板の前縁近傍部分が強く加熱されたときに、この部分に設けた感温表示部の変色で当該部分が熱くなったこと及びグリル扉が半開きであることを早期に報知でき、有利である。
【０００９】
また、本発明において、感温表示部は、天板の前縁近傍部分に、グリルの上方への投影面内に位置する部分だけでなく当該部分から天板の横方向両端部に亘って帯状に設けられていてもよい。これによれば、天板の前縁近傍部分のグリルの上方への投影面内に位置する感温表示部の部分の変色によって、上述した効果が得られると共に、手が触れやすい天板の前縁近傍部分の温度分布を天板の横方向全幅に亘り視覚的に表示でき、天板の熱い部分に手が触れることを効果的に防止できる。
【図面の簡単な説明】
【００１０】
【図１】本発明の第１実施形態のガスコンロの斜視図。
【図２】第１実施形態のガスコンロの平面図。
【図３】第２実施形態のガスコンロの平面図。
【図４】第３実施形態のガスコンロの平面図。
【発明を実施するための形態】
【００１１】
図１を参照して、１は本発明の実施形態の卓上式のガスコンロを示している。このガスコンロ１は、コンロ本体２と、コンロ本体２の上面を覆う天板３と、天板３に開設した各バーナ用開口（図示せず）を通して天板３上に露出する左右一対のコンロバーナ４、４と、コンロ本体１内の横方向中央部に設けられたグリル５とを備えている。
【００１２】
天板３上には、各コンロバーナ４を囲うようにして五徳６が載置され、天板３の後部には、グリル５の排気口を覆う排気カバー７が設けられている。また、コンロ本体２の前面には、グリル５の前面開口を開閉するグリル扉５ａが配置されると共に、グリル扉５ａの側方に位置させて、コンロバーナ４用とグリル５用の各点消火ボタン８が配置されている。
【００１３】
ところで、本実施形態の如きグリル付きガスコンロ１では、グリル５を使用していてもこれを外部から確認しにくく、グリル使用中に熱くなった天板３に手が触れてしまうことがある。
【００１４】
そこで、本実施形態では、グリル５の上方への投影面内に位置する天板３の部分の少なくとも一部に、所定温度以上になったときに変色する感温表示部９を設けている。グリル使用中はグリル５の上方への投影面内に位置する天板３の部分が加熱されるが、本実施形態によれば、天板３の上記部分が加熱されて所定温度以上になると、感温表示部９が変色して、熱くなったことを報知し、注意を喚起できる。これにより、グリル使用中に熱くなった天板３の部分に手が触れることを可及的に抑制できる。
【００１５】
尚、感温表示部９は、所定温度以上になったときに色だけが変化するものに限らず、変色によって危険を知らせる文字が現れるものであってもよい。また、感温表示部９は、天板３の上面に所定温度以上になったときに変色する感温材料を塗布し、或いは、感温材料を塗布したシートを天板３の上面に貼付して設けることができる。
【００１６】
また、図１、図２に示す第１実施形態では、グリル５の上方への投影面内に位置する天板３の部分の全体に感温表示部９が設けられているが、図３に示す第２実施形態の如く、グリル５の上方への投影面内に位置する天板３の部分の横方向中間部分の前部のみに感温表示部９を設けてもよい。また、グリル５の天井部に設けるグリルバーナ（図示せず）の真上に位置する天板３の部分が熱くなりやすいため、この部分のみに感温表示部９を設けてもよい。
【００１７】
ところで、グリル扉５ａを半開きにしたままグリル５を使用してしまうことがある。この場合、グリル扉５ａから漏れ出た熱気により、グリル５の上方への投影面内に位置する天板３の前縁近傍部分が強く加熱されてしまう。
【００１８】
そこで、第１、第２実施形態では、天板３の前縁から所定の前後方向範囲（例えば、１０ｃｍの範囲）の部分を前縁近傍部分として、感温表示部９が設けられる天板３の部分は、グリル５の上方への投影面内に位置する前縁近傍部分を含んでいる。これによれば、グリル扉５ａが半開きで、グリル５の上方への投影面内に位置する天板３の前縁近傍部分が強く加熱されたときに、この部分に設けた感温表示部９の変色で当該部分が熱くなったこと及びグリル扉５ａが半開きであることを早期に報知でき、有利である。
【００１９】
また、図４に示す第３実施形態の如く、感温表示部９を、天板３の前縁近傍部分に、グリル５の上方への投影面内に位置する部分だけでなく当該部分から天板３の横方向両端部に亘って帯状に設けてもよい。これによれば、グリル使用中にグリル５の上方への投影面内に位置する天板３の部分が熱くなったときにこれを報知できると共に、グリル扉５ａが半開きであることを早期に報知できるという上記第１、第２実施形態と同様の効果が得られ、更に、手が触れやすい天板３の前縁近傍部分の温度分布を天板３の横方向全幅に亘り視覚的に表示でき、天板３の熱い部分に手が触れることを効果的に防止できる。
【００２０】
以上、本発明の実施形態について図面を参照して説明したが、本発明はこれに限定されない。例えば、上記実施形態は卓上式のグリル付きガスコンロ１に本発明を適用したものであるが、システムキッチンのカウンタトップに組み込むビルトイン式のグリル付きガスコンロにも同様に本発明を適用できる。
【符号の説明】
【００２１】
１…ガスコンロ、２…コンロ本体、３…天板、４…コンロバーナ、５…グリル、９…感温表示部。
【図１】
0006042832.tif 000002
【図２】
0006042832.tif 000003
【図３】
0006042832.tif 000004
【図４】
0006042832.tif 000005